(57)【特許請求の範囲】
【請求項１】
表層側を、表面の茣蓙製畳表部と、この茣蓙製畳表部裏面側の吸・放湿性部材製裏打ち部と、この吸・放湿性部材製裏打ち部裏面側のイグサからなる茣蓙製調整部とで形成してあると共に、前記畳表部と調整部を双方の茣蓙の織り方向が畳の長さ方向と幅方向に交差するように配設し、茣蓙製畳表部を除く表層側と裏層側を止着具で一体重合状に形成してあることを特徴とする畳。
【発明の詳細な説明】
【０００１】
【発明の属する技術分野】
本発明は畳に関する。
【０００２】
【従来の技術】
薄畳、厚畳を問わず木質繊維板を用いて作られた畳は、伸び縮みがあって、反り等の外形的変化を起こす構造上の不備がある。また、化学床といわれている合成樹脂製畳床までとはいかないものの、吸湿性および放湿性が乏しく快適性に欠ける不満がある。
【０００３】
【発明が解決しようとする課題】
解決しようとする課題は、幅方向および長さ方向ともに伸縮や反りがなく、吸湿性、放湿性が良くて快適性に優れ、特に厚さが１５ｍｍ程度の薄畳として有用な畳を提供することにある。
【０００４】
【課題を解決するための手段】
本発明は前記した課題を達成するため、表層側を、表面の茣蓙製畳表部と、この茣蓙製畳表部裏面側の吸・放湿性部材製裏打ち部と、この吸・放湿性部材製裏打ち部裏面側のイグサからなる茣蓙製調整部とで形成してあると共に、前記畳表部と調整部を双方の茣蓙の織り方向が畳の長さ方向と幅方向に交差するように配設し、茣蓙製畳表部を除く表層側と裏層側を止着具で一体重合状に形成してあることを特徴とする。
【０００５】
本発明における表層は、茣蓙製畳表部と吸・放湿性部材製裏打ち部と茣蓙製調整部からなり、茣蓙製畳表部は、天然のイグサの茎を織って形成したもの、或いは、合成樹脂製の模擬茎を織って形成したもののいずれであっても良い。裏打ち部は、厚紙、不織布、織物等の吸・放湿性部材であれば良い。茣蓙製調整部は、天然のイグサの茎を織って形成したものになる。茣蓙の織り方向とは、茎の長さ方向と直交する方向である。
裏層は、少なくともボードと防水紙からなり、例えば、ボードと樹脂シートと防水紙からなる態様のもの、合板とボードと樹脂シートと防水紙からなる態様のもの、ボードと天然のイグサを織って形成した茣蓙製調整部と防水紙からなる態様のもの、その他の組み合わせからなる態様のいずれであっても良い。ボードは、木材小片を用いるパーティクルボード、繊維板とよばれるファイバーボード等である。樹脂シートは、多少の緩衝性を有する発泡性或いは非発泡性の樹脂シート等が挙げられる。止着具としては、縫い糸やステープル（コの字形針金）等の止め具が挙げられる。
【０００６】
【発明の実施の形態】
図１および図２には本発明の畳における実施の１形態として薄畳を例示しており、薄畳１は表面側の表層２と裏面側の裏層３との上下重合構造に形成されている。
表層２は、茣蓙製畳表部２ａと、この畳表部２ａの裏面側に位置する吸・放湿性部材製裏打ち部２ｂと、この裏打ち部２ｂの裏面側に位置する茣蓙製調整部２ｃからなり、第１層の茣蓙製畳表部２ａは天然のイグサの茎を織って形成した茣蓙製のもので、第２層の裏打ち部２ｂは厚紙製のもので、第３層の茣蓙製調整部２ｃは天然のイグサの茎を織って形成した茣蓙製のものである。
この表層２における茣蓙製畳表部２ａと茣蓙製調整部２ｃは、双方の茣蓙の織り方向ａが畳の長さ方向と幅方向に直角に交差するように配設してある。
【０００７】
裏層３は、ボード３ａと、このボード３ａの裏面側に位置する樹脂シート３ｂと、この樹脂シート３ｂの裏面側に位置する防水紙３ｃからなり、表層２に続く第４層のボード３ａはファイバーボード製のもので、第５層の樹脂シート３ｂはポリプロピレン製のもので、第６層の防水紙３ｃは紙の裏面にフィルムを添着して防水処理したものである。
【０００８】
そして、表層２と裏層３は、第１層の茣蓙製畳表部２ａを除いて、第２層の裏打ち部２ｂと第３層の茣蓙製調整部２ｃと第４層のボード３ａと第５層の樹脂シート３ｂと第６層の防水紙３ｃを縫い糸４で上下重合状態に一体に縫い付けてある。第１層の茣蓙製畳表部２ａは、畳表部側縁に逢着されている畳縁部５が裏層３裏面側に折り返された状態にステープル６で止着されていることで、畳表として緩みなく張った状態に張設してある。
【０００９】
図３および図４には本発明の畳における実施の１形態として他の薄畳を例示しており、構成は前記した図１の態様のものと基本的に同一であるため、共通している構成の説明は符合を準用して省略し、相違する構成について説明する。
表層２における第２層の裏打ち部２ｂは化繊の不織布製のものである。
裏層３は、表層２に続く第４層の合板３ｄと第５層のボード３ａと第６層の樹脂シート３ｂと第７層の防水紙３ｃからなる。
そして、表層２と裏層３は、第１層の茣蓙製畳表部２ａを除いて、第２層の裏打ち部２ｂと第３層の茣蓙製調整部２ｃと第４層の合板３ｄと第５層のボード３ａと第６層の樹脂シート３ｂと第７層の防水紙３ｃをステープル６で上下重合状態に一体に止着してある。
【００１０】
図５および図６には本発明の畳における実施の１形態として他の薄畳を例示しており、構成は前記した図１の態様のものと基本的に同一であるため、共通している構成の説明は符合を準用して省略し、相違する構成について説明する。
裏層３は、表層２に続く第４層のボード３ａと第５層の天然のイグサの茎を織って形成した茣蓙製調整部３ｅと第６層の防水紙３ｃからなる。この裏層３における茣蓙製調整部３ｅと表層２における茣蓙製調整部２ｃの織り方向ａは同方向に一致させてある。
そして、表層２と裏層３は、第１層の茣蓙製畳表部２ａを除いて、第２層の裏打ち部２ｂと第３層の茣蓙製調整部２ｃと第４層のボード３ａと第５層の茣蓙製調整部３ｅと第６層の防水紙３ｃを縫い糸４で上下重合状態に一体に縫い付けてある。
【００１１】
図示した各態様は本発明の一例を示しているに過ぎず、本発明の趣旨を変更しない限り自由である。例えば、ボード３ａ或いは合板３ｄの組み合わせ数によって適宜厚さの畳に仕上げ可能である。また、両調整部２ｃ、３ｅの織り方向ａは長さ方向と幅方向に違えても良い。
【００１２】
【発明の効果】
Ａ．請求項１により、織り方向が畳の長さ方向と幅方向に異なる茣蓙製畳表部とイグサからなる茣蓙製調整部の働きによって、幅方向および長さ方向ともに伸縮や反りがなく、吸湿性、放湿性が良くて快適性に優れ、特に厚さが１５ｍｍ程度の薄畳として有用である。
【図面の簡単な説明】
【図１】  本発明の畳における実施の１形態を例示している縦断面図。
【図２】  分解斜視図。
【図３】  本発明の畳における実施の他の１形態を例示している縦断面図。
【図４】  分解斜視図。
【図５】  本発明の畳における実施の他の１形態を例示している縦断面図。
【図６】  分解斜視図。
【符号の説明】
１  薄畳
２  表層
２ａ  茣蓙製畳表部
２ｂ  吸・放湿性部材製裏打ち部
２ｃ  茣蓙製調整部
３  裏層
３ａ  ボード
３ｂ  樹脂シート
３ｃ  防水紙
３ｄ  合板
３ｅ  茣蓙製調整部
４  縫い糸（止着具）
５  畳縁部
６  ステープル（止着具）
ａ  茣蓙の織り方向
【図１】
0003714927.tif 000002
【図２】
0003714927.tif 000003
【図３】
0003714927.tif 000004
【図４】
0003714927.tif 000005
【図５】
0003714927.tif 000006
【図６】
0003714927.tif 000007